(57)【要約】【課題】織機の遊星耳組装置（もじり耳組装置）において、支持歯車（セルベージギヤ）によって飛ばされた風綿が給糸ボビンに付着するのを防止することにより、耳経糸切れや開口不良の発生を未然に防止する。【解決手段】もじり耳組織（９）を形成する遊星耳組装置（１）において、ギヤ列部（２５）をギヤカバー（２６）により覆い、また、給糸ボビン回転部（２７）の外側の周囲を給糸ボビンカバー（３２）により覆い、さらに、セルベージギヤ（３）の近傍でギヤカバー（２６）と給糸ボビンカバー（３２）との間に、ギヤカバー（２６）の内周面からセルベージギヤ（３）の半径方向に延在する遮蔽部材（２８）を配設して、ギヤカバー（２６）の内部空間と給糸ボビンカバー（３２）の内部空間とを隔離させる。【選択図】      図２
2004190192.tif 000002
【特許請求の範囲】
【請求項１】
駆動ギヤ（２）によりセルベージギヤ（３）を回転させ、このセルベージギヤ（３）に回転自在に支持されている一対のボビンホルダ（４）を回転させるとともに、ボビンホルダ（４）と一体の遊星ギヤ（５）と、アイドルギヤ（５ａ）と、固定の太陽ギヤ（６）との噛み合いによりボビンホルダ（４）を回転させて、各ボビンホルダ（４）に支持されている給糸ボビン（７）から引き出される耳経糸（８）をもじり、もじり耳組織（９）を形成する遊星耳組装置（１）において、
セルベージギヤ（３）、遊星ギヤ（５）、アイドルギヤ（５ａ）および太陽ギヤ（６）からなるギヤ列部（２５）をセルベージギヤ（３）の半径方向外側のギヤカバー（２６）により覆い、また、ボビンホルダ（４）および給糸ボビン（７）からなる給糸ボビン回転部（２７）の半径方向外側を給糸ボビンカバー（３２）により覆い、
さらに、セルベージギヤ（３）よりも給糸ボビンカバー（３２）側に、ギヤカバー（２６）の内周面からセルベージギヤ（３）の中心方向に延在する遮蔽部材（２８）を配設して、セルベージギヤ（３）と給糸ボビンカバー（３２）の内部空間とを隔離することを特徴とする遊星耳組装置（１）。
【請求項２】
遮蔽部材（２８）をセルベージギヤ（３）の歯先円よりも半径方向の中心側まで配設することを特徴とする請求項１記載の遊星耳組装置（１）。
【請求項３】
遮蔽部材（２８）をギヤカバー（２６）または給糸ボビンカバー（３２）に取り付けて支持することを特徴とする請求項１または請求項２記載の遊星耳組装置（１）。
【請求項４】
遮蔽部材（２８）を給糸ボビンカバー（３２）またはギヤカバー（２６）と一体に形成することを特徴とする請求項１または請求項２記載の遊星耳組装置（１）。
【請求項５】
ギヤカバー（２６）と給糸ボビンカバー（３２）とを一体に形成することを特徴とする請求項１、請求項２または請求項３記載の遊星耳組装置（１）。
【請求項６】
遮蔽部材（２８）を柔軟な材質により構成し、遮蔽部材（２８）の先端をセルベージギヤ（３）の側面に接触させることを特徴とする請求項１、請求項２、請求項３または請求項５記載の遊星耳組装置（１）。
【発明の詳細な説明】
【０００１】
【発明が属する技術分野】
本発明は、遊星歯車機構により耳緯糸をもじり、もじり耳組織を形成する遊星耳組装置において、給糸ボビンに対する風綿の付着を防止する手段に関する。
【０００２】
【従来の技術】
特開平７−２５８９３５号公報は、織機のもじり耳形成装置を開示している。その装置では、駆動ギヤにより支持歯車を回転させ、この支持歯車に回転自在に支持されているボビンホルダを公転させるとともに、ボビンホルダと一体の遊星ギヤおよび固定の太陽ギヤの噛み合いによりボビンホルダを公転方向に対して逆方向に自転させ、各ボビンホルダに支持されている給糸ボビンから引き出されるの耳経糸をもじり、もじり耳組織を形成している。このもじり耳形成装置は、安全および防塵のためにカバーで覆われている。
【０００３】
【発明が解決しようとする課題】
しかしながら、特開平７−２５８９３５号公報の技術によると、もじり耳組装置の支持部材等に堆積した風綿が、遊星耳組装置の駆動ギヤに付着し、駆動ギヤと噛合う支持歯車によって飛ばされて遊星耳組装置のカバー内に侵入し、給糸ボビンに付着しやすくなる。給糸ボビンに付着した風綿は、給糸ボビンからの耳経糸の引き出しにしたがって移動し、最終的には耳経糸の出口となるヤーンガイド内で詰まり、耳経糸切れや開口不良を引き起こすことになる。
【０００４】
したがって、本発明の目的は、織機の遊星耳組装置（もじり耳組装置）において、支持歯車（セルベージギヤ）によって飛ばされた風綿が給糸ボビンに付着するのを防止することにより、耳経糸切れや開口不良の発生を未然に防止することにある。
【０００５】
【課題を解決するための手段】
上記目的のもとに、本発明は、駆動ギヤ（２）によりセルベージギヤ（３）を回転させ、このセルベージギヤ（３）に回転自在に支持されている一対のボビンホルダ（４）を回転させるとともに、ボビンホルダ（４）と一体の遊星ギヤ（５）と、アイドルギヤ（５ａ）と、固定の太陽ギヤ（６）との噛み合いによりボビンホルダ（４）を回転させて、各ボビンホルダ（４）に支持されている給糸ボビン（７）から引き出される耳経糸（８）をもじり、もじり耳組織（９）を形成する遊星耳組装置（１）において、セルベージギヤ（３）、遊星ギヤ（５）、アイドルギヤ（５ａ）および太陽ギヤ（６）からなるギヤ列部（２５）をセルベージギヤ（３）の半径方向外側のギヤカバー（２６）により覆い、また、ボビンホルダ（４）および給糸ボビン（７）からなる給糸ボビン回転部（２７）の半径方向外側を給糸ボビンカバー（３２）により覆い、さらに、セルベージギヤ（３）よりも給糸ボビンカバー（３２）側に、ギヤカバー（２６）の内周面からセルベージギヤ（３）の中心方向に延在する遮蔽部材（２８）を配設して、セルベージギヤ（３）と給糸ボビンカバー（３２）の内部空間とを隔離させている。
【０００６】
好ましい実施の態様において、遮蔽部材（２８）は、セルベージギヤ（３）の歯先円よりも半径方向の中心側まで配設され、ギヤカバー（２６）、または給糸ボビンカバー（３２）に取り付けて支持され、また、給糸ボビンカバー（３２）またはギヤカバー（２６）と一体に形成される。さらに、他の実施の態様において、ギヤカバー（２６）と給糸ボビンカバー（３２）とは、一体に形成することもでき、遮蔽部材（２８）は、柔軟な材質により構成し、遮蔽部材（２８）の先端をセルベージギヤ（３）の側面に接触させることもできる。
【０００７】
【発明の実施の形態】
図１〜図４は、本発明の遊星耳組装置１を示している。遊星耳組装置１は、駆動ギヤ２によりセルベージギヤ３を回転させ、このセルベージギヤ３に回転自在に支持されている一対のボビンホルダ４を公転させるとともに、ボビンホルダ４と一体の遊星ギヤ５と、アイドルギヤ５ａと、固定の太陽ギヤ６との噛み合いによりボビンホルダ４をその公転方向に対して逆方向に自転させ、各ボビンホルダ４に支持されている給糸ボビン７から引き出される耳経糸８をもじり、もじり耳組織９を形成する。
【０００８】
ここで、駆動ギヤ２は、駆動軸１０を介して専用のモーターや織機１８の主軸などの駆動源１１から回転力を得ており、セルベージギヤ３に回転を伝達している。セルベージギヤは３は、太陽ギヤ６の中心軸部分にベアリング１２を介して回転可能に組付けられており、太陽ギヤ６は、その中心の軸部分でブラケット１３にボルト３９により固定されている。ブラケット１３は、Ｌ型ブラケット１４を介してステー１５上のレール１６に固定ピース１７により位置調整可能に固定されており、これにより遊星耳組装置１は、織機１８上で織幅方向に位置調整可能となっている。なお、ステー１５は、織機１８のフレーム１９に織り幅方向に突設されている。
【０００９】
また、セルベージギヤ３には、その同一直径上に、対向して一対のボビンホルダ４がベアリング２０、ギヤ軸２１を介して回転自在に取り付けられている。ギヤ軸２１には、ボビンホルダ４のほか、遊星ギヤ５がボルトにより固定されており、この遊星ギヤ５は、セルベージギヤ３に回転可能に支持されているアイドルギヤ５ａを介して太陽ギヤ６から駆動を得ている。これにより、ボビンホルダ４は、太陽ギヤ６の周りを公転しながら公転方向に対して逆方向に自転することになる。
【００１０】
ボビンホルダ４には、耳経糸２２が巻き付けられた給糸ボビン７が回転可能に取り付けられており、耳経糸２２は、ボビンホルダ４の有するヤーンガイド２３のガイド孔２４から導き出される。緯入れ時に、緯糸３６は、２本の耳経糸２２および経糸３７が形成する開口内に緯入れされ、筬３８によって織布の織り前に筬打ちされる。筬打ち後、耳経糸２２は、ボビンホルダ４の公転運動および自転運動によりもじられて、もじり耳組織９を形成し、製織された織布とともに図示しない巻取り装置によって巻き取られる。
【００１１】
また遊星耳組装置１は、セルベージギヤ３、遊星ギヤ５、アイドルギヤ５ａ、太陽ギヤ６からなるギヤ列部２５を覆うギヤカバー２６と、ボビンホルダ４、給糸ボビン７、ヤーンガイド２３からなる給糸ボビン回転部２７を覆う給糸ボビンカバー３２とを有し、さらにギヤカバー２６の内部空間と給糸ボビンカバー３２の内部空間とを隔離させるために、遮蔽部材２８を有している。
【００１２】
ギヤカバー２６は、全体としてカップ状であり、駆動ギヤ２とセルベージギヤ３との噛み合いのために、開口部３０を有し、ギヤカバー２６の中心孔の部分で太陽ギヤ６の軸部分にはまり、ブラケット１３にボルト２９により取り付けられている。なお、開口部３０は、ギヤカバー２６の下方位置にあって、駆動ギヤ２のギヤ幅よりもある程度大きく設けられており、ギヤカバー２６内に風綿３４が貯まったとしても自然に外部に出るようにしている。
【００１３】
給糸ボビンカバー３２は、給糸ボビン回転部２７の外側の周囲を覆う大きさの筒状であり、ギヤカバー２６側のつば部分でボルト・ナット３１により取り付けられている。この給糸ボビンカバー３２の開放側（耳経糸８の繰り出し側）は、開口しているが、その開口面に必要に応じて蓋３３が取り付けられており、これにより空気中に漂う風綿３４の侵入を抑えている。蓋３３は、耳経糸８の糸量を観察できるように円筒形状の透明プラスチックで構成されてており、耳経糸８の通過のために、筬３８側で側壁を有せず、スリットを形成している。
【００１４】
そして、遮蔽部材２８は、セルベージギヤ３よりも給糸ボビンカバー３２側にあるギヤカバー２６と給糸ボビンカバー３２との間に配設され、ギヤカバー２６の内周面からセルベージギヤ３の中心方向に延在するリング状の金属板であり、セルベージギヤ３と給糸ボビンカバー３２の内部空間とを隔離させている。
【００１５】
この例で、遮蔽部材２８は、給糸ボビンカバー３２の一部によりそれと一体に構成されており、セルベージギヤ３の歯先円よりも半径方向の中心側まで、具体的にはセルベージギヤ３の歯底円よりも中心側まで延在している。このため、遮蔽部材２８の内径は、セルベージギヤ３の歯先円（歯底円）よりも小さくなっている。この結果、セルベージギヤ３と遮蔽部材２８の内側の縁（内径縁）とは、駆動軸１０の軸線方向から見て、重なるようになっている。もちろん、遮蔽部材２８の孔（内径縁）は、給糸ボビン７の回転運動の運動範囲よりも大きく、その回転運動の妨げとならない。
【００１６】
このように、遮蔽部材２８は、給糸ボビン７の回転運動を妨げることなく、セルベージギヤ３およびギヤカバー２６と共に、外部および給糸ボビン回転部２７から隔離されたセルベージギヤ３を内包する空間を形成し、セルベージギヤ３によって飛ばされた風綿３４が給糸ボビン回転部２７に侵入することを防止している。
【００１７】
一方、製織時に発生する風綿は、織機１８の各所に付着するが、遊星耳組装置１は、風綿３４の発生がもっとも多いヘルドフレームからドロッパまでの間に配置されるため、遊星耳組装置１のＬ型ブラケット１４の内側には、図２のように多くの風綿３４が堆積する。
【００１８】
このＬ型ブラケット１４の内側に堆積した風綿３４は、開口部３０の位置で駆動ギヤ２に付着し、セルベージギヤ３によって飛ばされて、ギヤカバー２６内に侵入する。また遮蔽部材２８が存在しないならば、風綿３４は、駆動ギヤ２から離れて給糸ボビンカバー３２の内部にも入ろうとする。
【００１９】
しかし、セルベージギヤ３、およびこのセルベージギヤ３の外周縁と重なりながらセルベージギヤ３の外周空間を閉じている遮蔽部材２８は、セルベージギヤ３と給糸ボビン回転部２７との間にあって、給糸ボビン回転部２７への風綿３４の侵入するのを阻止している。このため、給糸ボビンカバー３２の内部の給糸ボビン回転部２７は、駆動ギヤ２およびセルベージギヤ３の回転にともなう風綿３４の侵入から確実に保護されることになる。
【００２０】
なお、この実施の態様では、遮蔽部材２８は、セルベージギヤ３の全周にわたって設けられているが、必ずしも全周にわたって設ける必要はなく、一部のみ、例えば、風綿３４が駆動ギヤ２により跳ね上げられる区間に部分的に設けても、風綿の侵入防止効果がある。
【００２１】
また、遮蔽部材２８は、セルベージギヤ３と遮蔽部材２８との隙間から風綿３４が侵入しないように、セルベージギヤ３よりも近傍の給糸ボビン７側に設ける必要があるが、風綿３４の侵入を効果的に行うためには、セルベージギヤ３と遮蔽部材２８とをなるべく近づけて、両者の隙間を小さくすることが望ましく、セルベージギヤ３に対する回転の抵抗が殆どないならば、セルベージギヤ３と遮蔽部材２８とを接触させてもよい。セルベージギヤ３と遮蔽部材２８とを接触させる場合には、セルベージギヤ３の回転にともないセルベージギヤ３の側面を遮蔽部材２８が相対的に摺動するので、遮蔽部材２８をその摺動に耐えうる材質とする必要がある。例えばゴム等の弾性部材としたり、あるいは接触面の部分で、多数の線状体例えばテグスや動物毛によるブラシ状とすることが考えられる。
【００２２】
図５は、ギヤカバー２６と給糸ボビンカバー３２とを一体に形成すると共に、遮蔽部材２８をゴム等の柔軟な弾性材質により構成し、柔軟な遮蔽部材２８の先端をセルベージギヤ３の側面に接触させる例を示している。この例で、遮蔽部材２８は、ゴム製のリングパッキン状であり、ボルト・ナット３５によってギヤカバー２６と一体の給糸ボビンカバー３２に取り付けられている。遮蔽部材２８の内側の縁は、内径側で柔軟な先細りとなっており、柔軟な先細り部分でセルベージギヤ３の給糸ボビン７側の側面に当接し、セルベージギヤ３と、給糸ボビン回転部２７とを隔離している。
【００２３】
なお、図１〜図５に示した例では、遊星ギヤ５および太陽ギヤ６がセルベージギヤ３を挟んで、給糸ボビン７と反対側に配置されているが、遊星ギヤ５および太陽ギヤ６がセルベージギヤ３に対し給糸ボビン７と同一側にある場合にも、遮蔽部材２８を取り付けることで同様の効果が期待できる。この場合、遮蔽部材２８は、遊星ギヤ５および太陽ギヤ６と給糸ボビンカバー３２との間に、ギヤカバー２６の内周面から太陽ギヤ６の中心方向に延在させてもよいが、セルベージギヤ３と遊星ギヤ５および太陽ギヤ６との間に、ギヤカバー２６の内周面から太陽ギヤ６の中心方向に延在させてもよい。そのように設けることにより、セルベージギヤ３によって飛ばされた風綿３４は、給糸ボビン７の他、遊星ギヤ５および太陽ギヤ６にも付着するのを妨げられ、それらの歯面が損なわれない。
【００２４】
【発明の効果】
請求項１によれば、もじり耳組織を形成する遊星耳組装置において、セルベージギヤよりも給糸ボビンカバー側に、ギヤカバーの内周面からセルベージギヤの半径方向に延在する遮蔽部材を配設して、セルベージギヤと給糸ボビンカバーの内部空間とを隔離するから、セルベージギヤによって飛ばされた風綿は、遮蔽部材によって遮断され、給糸ボビンカバーの内部空間、特にその給糸ボビンに付着しないから、給糸ボビンに対する風綿の付着にともなうヤーンガイド内での耳経糸詰まり、耳経糸切れや、開口不良を防止することができる。
【００２５】
請求項２によれば、遮蔽部材をセルベージギヤの歯先円よりも半径方向の中心側まで配設されているから、風綿の侵入がより確実に防止できる。
【００２６】
請求項３によれば、遮蔽部材をギヤカバーまたは給糸ボビンカバーに取り付けて支持することにより、遮蔽部材の専用の支持・取付け部材を省略できる。
【００２７】
請求項４によれば、遮蔽部材を給糸ボビンカバーまたはギヤカバーと一体に形成すれば、遮蔽部材の製作・組み立てが簡略化できる。
【００２８】
請求項５によれば、ギヤカバーと給糸ボビンカバーとを一体に形成すると、部品数がすくなりなり、それらの製作・組み立てが簡略化できる。
【００２９】
請求項６によれば、柔軟な遮蔽部材の先端をセルベージギヤの側面に接触させることにより、風綿の侵入経路が確実に塞げるから、風綿の侵入がより確実に防止できる。
【図面の簡単な説明】
【図１】本発明の遊星耳組装置の水平断面図である。
【図２】本発明の遊星耳組装置の拡大正面図である。
【図３】本発明の遊星耳組装置の拡大断面図である。
【図４】本発明の遊星耳組装置の拡大背面図である。
【図５】本発明の他の遊星耳組装置の一部の拡大断面図である。
【符号の説明】
１  遊星耳組装置
２  駆動ギヤ
３  セルベージギヤ
４  ボビンギヤ
５  遊星ギヤ
６  太陽ギヤ
７  給糸ボビン
８  耳経糸
９  もじり耳組織
１０  駆動軸
１１  駆動源
１２  ベアリング
１３  ブラケット
１４  Ｌ型ブラケット
１５  ステー
１６  レール
１７  固定ピース
１８  織機
１９  フレーム
２０  ベアリング
２１  ギヤ軸
２２  耳経糸
２３  ヤーンガイド
２４  ガイド孔
２５  ギヤ列部
２６  ギヤカバー
２７  給糸ボビン回転部
２８  遮蔽部材
２９  ボルト
３０  開口部
３１  ボルト・ナット
３２  給糸ボビンカバー
３３  蓋
３４  風綿
３５  ボルト・ナット
３６  緯糸
３７  経糸
３８  筬
３９  ボルト
【図１】
2004190192.tif 000003
【図２】
2004190192.tif 000004
【図３】
2004190192.tif 000005
【図４】
2004190192.tif 000006
【図５】
2004190192.tif 000007